(57)【要約】【課題】  廻し切り三方断裁機において、冊子の天地および小口の寸法にかかわらず断裁刃物機構の移動量が小さく、かつ断裁刃物の刃渡り寸法も短かくすること。【解決手段】  冊子供給機２で供給された冊子１をチャック４で搬送して回転テーブル５に載置した冊子１を、９０度づつ回転して一つの断裁刃物７ｂにより冊子１の天部１ｂ、地部１ｄ、小口部１ｃの三方を切り揃える廻し切り三方断裁機であって、前記冊子供給機２で供給する冊子１の位置を、冊子１の天地および小口の寸法差に応じて変更し、前記回転テーブルの回転中心に位置する冊子１の回転中心を、その回転中心から天および地までの垂直距離と、小口までの垂直距離ができる限り等しくなるようにする。【選択図】    図１
2005095994.tif 000002
【特許請求の範囲】
【請求項１】
回転テーブルと一つの断裁刃物を有し、前記回転テーブル上に固定載置した冊子を回転して前記冊子の天部、地部、小口部の三方を前記断裁刃物で断裁してなる廻し切り三方断裁機において、前記回転テーブルの回転中心に位置する前記回転テーブル上に載置する冊子の回転中心を、冊子の天地および小口の寸法差に応じて変更する回転中心変更手段を設けてなることを特徴とする廻し切り三方断裁機。
【請求項２】
搬入部に供給された冊子を挟持して前記回転テーブル上に搬送する搬送手段と、前記搬入部に冊子を供給する供給手段を備え、前記供給手段により冊子の天地および小口の寸法差に応じて搬入部へ供給する冊子の位置を変更してなることを特徴とする請求項１に記載の廻し切り三方断裁機。
【発明の詳細な説明】
【技術分野】
【０００１】
本発明は、冊子を回転して冊子の天部、地部および小口部の三方を一つの断裁刃物により断裁する廻し切り三方断裁機に関する。
【背景技術】
【０００２】
本身（本の中身）に表紙をあてがってその背面部を綴じた冊子の天部、地部及び小口部の三方を断裁して体裁を整えることが行われる場合がある。この三方を断裁する断裁機として一つの断裁刃物と回転テーブルを備え、断裁する冊子を回転テーブルに載置し、回転テーブルを９０度づつ回転して冊子の天部、地部及び小口部の三方を順次断裁刃物の下方に位置させて、冊子の天部、地部及び小口部の三方を順次断裁する断裁機がある。
【０００３】
このような断裁機では、回転テーブルは冊子の天部、地部及び小口部の周縁がはみ出るＬ字状の金属板で構成され、Ｌ字状の一片を回転テーブルの本体とし、折れ曲って立ち上がる他の一片を載置する冊子の背面に当接して位置決めする位置決め板とし、本体の裏面の位置決め板に寄りで位置決め板の幅方向中央位置に回転駆動軸が固定されている。そして、回転駆動軸と対向する上方に回転テーブルの本体上の冊子を該本体に押圧固定する押圧板が回転自在に配置されている。また、断裁刃物機構（断裁刃物や冊子強圧板など本来の動作をさせる機構）は回転テーブルに接近および離間する方向に移動させる駆動機構に連結されている。
【０００４】
すなわち、断裁する冊子の背面を位置決め板に当接して回転テーブル上に位置決めし、押圧板で押圧してその位置を固定し、その状態で回転テーブルを回転して冊子の天部、地部及び小口部の三方を順次断裁する。この断裁で回転テーブルの回転中心から冊子の天部、地部及び小口部の断裁位置までの距離が異なる場合に断裁刃物機構を回転テーブルに接近および離間する方向に移動させて、断裁刃物の刃先を断裁位置に合わせている。
【特許文献１】特開２００３−７１７７９号公報
【０００５】
たとえば、Ａ４サイズの冊子で長辺を背面と小口とし、短辺を天地とした冊子の三方を断裁する場合、冊子の回転中心から小口までの垂直距離と天および地までの垂直距離はほぼ等しく、図４（ａ）に示すように天地および小口の断裁に際し、断裁刃物機構の移動量は比較的に小さく、断裁刃物の有効刃渡り寸法も小口の寸法程度と短いが、Ａ４サイズの冊子で短辺を背面と小口とし、長辺を天地とした冊子の三方を断裁する場合には、冊子の回転中心から小口までの垂直距離と天および地までの垂直距離との差が大きく、図４（ｂ）に示すように小口を断裁するには断裁刃物機構の移動量を大きくする必要があり、また、天地の断裁では回転中心を中心として左右に大きく伸びるために断裁刃物の刃渡り寸法も長く、そのために断裁機が大型となっている。
【０００６】
すなわち、断裁刃物の寸法も長く、断裁刃物に沿って配置され断裁時に冊子の端部を強圧固定する重量のある押圧板の寸法も長く、これらの大重量物を駆動するためのエネルギーも大きく、また、断裁刃物機構を移動させる広いスペースが必要とするといった問題があった。
【発明の開示】
【発明が解決しようとする課題】
【０００７】
本発明が解決しようとする課題は、廻し切り三方断裁機において、冊子の天地および小口の寸法にかかわらず断裁刃物機構の移動量が小さく、かつ断裁刃物の刃渡り寸法も短かくすることができるようにし、斯かる問題を解消する点である。
【課題を解決するための手段】
【０００８】
本発明に係る廻し切り三方断裁機は、回転テーブルの回転中心に位置する前記回転テーブル上に載置する冊子の回転中心を、冊子の天地および小口の寸法差に応じて変更する回転中心変更手段を設けてなることを最も主要な特徴とする。
【発明の効果】
【０００９】
本発明では、断裁する冊子の天地および小口の寸法差に応じて、その回転中心を変更するので、冊子の回転中心から小口までの垂直距離と天および地までの垂直距離との差が常に小さくなり、断裁刃物機構の移動量を小さくすることができ、また、断裁刃物の刃渡り寸法も短かくすることができ、したがつて廻し切り三方断裁機を小型化することができる。
【発明を実施するための最良の形態】
【００１０】
冊子の天地および小口の寸法にかかわらず断裁刃物機構の移動量が小さく、かつ断裁刃物の刃渡り寸法も短かくする目的を冊子の天地および小口の寸法差に応じて冊子の回転中心を変更することにより実現した。
【実施例１】
【００１１】
以下、本発明の実施例について図によって説明する。図１は実施例に係る廻し切り三方断裁機の構成を示す斜視図である。図１において、１は糊付け製本された冊子（１ａは糊付けされ表紙が貼り付けられている背面、１ｂは天部、１ｃ小口部、１ｄは地部とする。）、２は冊子を供給する供給機、３は給紙台、４はチャック、５は回転テーブル、６は回転テーブル上の冊子を押圧固定する回転自在の押圧板、７は断裁刃物機構である。
【００１２】
断裁刃物機構７は、機械保持枠７ａに断裁刃物７ｂ、押圧板７ｃこれらを上下に駆動する油圧シリンダ、断裁定木７ｄなどを一つの機械保持枠７ａに装着して構成され、機械保持枠７ａは送りネジ７ｅを介してモータＭ１に連結されている。このモータＭ１の回転により送りネジ７ｅが回転して断裁刃物機構７は回転テーブル５に接近および離間する方向に移動する。
【００１３】
チャック４は、回転テーブル５の回転中心と対向し、モータＭ２の回転で図示しない冊子搬送路の搬入部から回転テーブル５まで直線往復移動するベルト４ａに固定され、搬入部に搬入された冊子１を挟持して回転テーブル５上に、冊子１の搬送方向の長さの中央部が回転テーブル５の回転中心位置に到達するまで搬送する。冊子を供給する供給機２は、冊子１を吸着する複数のサッカ２ａを備え、そのサッカ２ａはモータＭ３の回転で給紙台３から冊子搬送路の搬入部まで直線往復移動するベルト２ｂに固定されており、給紙台３上の冊子１を吸着して搬入部に、冊子１の回転中心がチャック４と対向する位置に到達するまで搬送する。
【００１４】
供給機２は冊子の搬送距離を設定する手段（回転中心変更手段）を有し、図２および図３に示すようにチャック４による搬送路と直交する方向の冊子ｌの長さ寸法、この実施例では断裁刃物７ｂが位置する側を冊子１の背面１ａとして搬送するので、冊子ｌの天地１ｂ、１ｄの寸法が、チャック４による搬送路と平行する方向の冊子ｌの長さ寸法、この実施例では背面１ａおよび小口１ｃの寸法よりも短い場合には、図２に示すようにチャック４を越える部分を短く、長い場合には図４に示すようにチャック４を越える部分を長くするように設定する。すなわち、冊子１が回転テーブル５上に置かれたとき、冊子ｌの回転中心をその回転中心から天および地までの垂直距離と、小口までの垂直距離ができる限り等しくなるように設定する。
【００１５】
この設定により、回転中心から天および地までの垂直距離と小口までの垂直距離との差が小さくなり、図４（ｃ）に示すように断裁刃物機構７の移動量がその小さい差分となる。また、天地の断裁では回転中心を中心として左右に大きく伸びる寸法もその小さい差分となり断裁刃物７ｂの刃渡り寸法、断裁刃物７ｂに沿って配置する押圧板７ｃの寸法を短くすることができる。
【００１６】
なお、以上の実施例では、冊子の回転中心位置を供給機の搬送距離の設定で冊子の天地および小口の寸法差に応じて変更するものであるが、回転テーブルの回転中心を冊子の天地および小口の寸法差に応じて変更するようにしてもよい。
【図面の簡単な説明】
【００１７】
【図１】本発明の実施例に係る廻し切り三方断裁機の構成を示す斜視図である。
【図２】図１に示す廻し切り三方断裁機の冊子供給機の動作を説明する正面図である。
【図３】図１に示す廻し切り三方断裁機の冊子供給機の動作を説明する正面図である。
【図４】廻し切り三方断裁機の機能を説明する説明図である。
【符号の説明】
【００１８】
１  冊子
１ａ  背面
１ｂ  天部
１ｃ  小口部
１ｄ  地部
２  冊子を供給する供給機
２ａ  サッカ（吸着器）
２ｂ  搬送ベルト
３  給紙台
４  チャック
４ａ  搬送ベルト
５  回転テーブル
６  押圧板
７  断裁刃物機構
７ａ  機械保持枠
７ｂ  断裁刃物
７ｅ  送りネジ
【図１】
2005095994.tif 000003
【図２】
2005095994.tif 000004
【図３】
2005095994.tif 000005
【図４】
2005095994.tif 000006